(57)【要約】【課題】地震等の災害発生時に頭に被ったときにバスケット本体を把持する手指を落下物の衝突から保護でき、物品の搬送の他、防災用具としても好適に使用することができるバスケットの提供。【解決手段】上部開口部２１を有する容器状のバスケット本体２０の側壁部２２の上端部２３の前記バスケット本体２０の内側空間２８を介して対向する２箇所に、前記側壁部２２の一部が外側へ膨出するように屈曲あるいは湾曲する壁状に形成された拡張部２６と、前記側壁部２２の前記拡張部２６の内側の空間を介して両側に位置する部位を橋絡する棒状に形成された把持部２７とを具備し、前記拡張部２６によって前記把持部２７を把持した使用者の手指を保護できるバスケット１０を提供する。【選択図】図１
2010179937.tif 000002
【特許請求の範囲】
【請求項１】
使用者が手指で把持するための把持部を有するバスケットであって、
底板部の周囲に側壁部が枠状に立設され上部開口部を有する容器状に形成されたバスケット本体を具備し、
前記バスケット本体は、前記側壁部の上端部の前記バスケット本体の内側空間を介して対向する２箇所に、前記側壁部の一部が前記内側空間とは反対側へ膨出するように屈曲あるいは湾曲する壁状に形成された拡張部と、前記上端部の周方向において前記側壁部の前記拡張部の内側の空間を介して両側に位置する部位を橋絡する棒状に形成された把持部とを具備し、
前記拡張部が、前記把持部を把持した使用者の手指を保護するためのカバー部として機能することを特徴とするバスケット。
【請求項２】
前記底板部が矩形板状であることを特徴とする請求項１記載のバスケット。
【請求項３】
前記バスケット本体は前記上部開口部から前記底板部側に行くにしたがって先細りのテーパ状に形成されており、
前記拡張部に、スタッキング時に下側に位置する前記バスケット本体の前記把持部を収納するためのスリット状の把持部収納溝が形成されていることを特徴とする請求項１又は２記載のバスケット。
【請求項４】
さらに、前記バスケット本体に回動自在に設けられた取っ手を具備することを特徴とする請求項１〜３のいずれかに記載のバスケット。
【請求項５】
前記取っ手は、概略コ字状に形成された棒状部材であり、その両端が、前記バスケット本体の側壁部において前記内側空間を介して対向する前記把持部の間隔方向に直交する両側に位置する上端部に設けられた枢着部に枢着され、しかも、バスケット本体の前記側壁部の上端部のうち前記枢着部から一対の前記拡張部の片方の側に位置する部分と一致する形状に形成されていることを特徴とする請求項４記載のバスケット。
【発明の詳細な説明】
【技術分野】
【０００１】
本発明は、物品の搬送に使用されるバスケットに係り、特に、上部開口部を有する容器状のバスケット本体自体に、使用者が手指で把持するための把持部を有する把持部が形成されている構成のバスケットに関する。
【背景技術】
【０００２】
例えば、いわゆる買い物かごとして用いられるバスケットは、上部開口部を有する容器状のバスケット本体の上端部に、コ字形に形成された棒状部材である取っ手を２つ枢着した構成のものが広く用いられている（例えば特許文献１）。
また、このようなバスケット（買い物かご）としては、例えば図９（ａ）〜（ｃ）に示すように、バスケット本体１０１内に入れた荷物が重いときの使用者による持ち運びを楽にすることなどを目的として、バスケット本体１０１の外周壁１０３の上端部に、使用者が手指を挿入するための開口部１０４と、この開口部１０４の上側に位置し使用者が手指で把持する把持部１０５とを備えた構成のものも知られている（例えば特許文献２）。このバスケット１００（買い物かご）は取っ手１０２以外に把持部１０５を把持して持ち運ぶことも可能なものである。
【先行技術文献】
【特許文献】
【０００３】
【特許文献１】意匠登録第８６３６９１号公報
【特許文献２】意匠登録第１１６３９３１号公報
【発明の概要】
【発明が解決しようとする課題】
【０００４】
ところで、近年、地震発生に対する様々な安全対策の研究が進展しており、そして、商業施設での買い物中の消費者の地震発生時の咄嗟の対応として、買い物かごを使用して落下物から頭部を防護する防護方法が提案されている。また、この防護方法は、竜巻等の強風による風害、火災等の各種の災害発生時の対応として行うことも検討される。
この防護方法は、買い物かごを頭に被ることで比較的軽量の落下物に対して頭部を防護するものであるが、買い物かごを手指でしっかりと握って支えることが望まれる。
バスケット本体が既述の図９（ａ）〜（ｃ）を参照して説明したような把持部１０５を有していない構成である買い物かご（例えば特許文献１）を頭部防護に使用する場合は、開口部１０４及び把持部１０５が形成されたバスケット本体を有する買い物かごに比べて、バスケット本体の上部開口部の口縁部を手指で握りにくいといった問題がある。また、バスケット本体の上部開口部の周縁部を手指で握ったときに、手指のバスケット本体の外側に露出した部分に落下物が衝突しやすいといった問題もある。
一方、既述のように、開口部１０４及び把持部１０５が形成されたバスケット本体１０１を具備する構成の買い物かごを使用する場合は、把持部１０５を手指で握ることで、バスケット本体に開口部１０４及び把持部１０５を具備していない買い物かごに比べてバスケット本体１０１を手で支えやすいものの、手指のバスケット本体１０１の外側に露出した部分に落下物が衝突しやすいことには変わりなく、問題の根本的な解決に至らない。
【０００５】
本発明は、前記課題に鑑みて、地震等の災害発生時に頭に被ったときにバスケット本体を把持する手指を落下物の衝突から保護することができ、物品の搬送の他、防災用具としても好適に使用することができるバスケットの提供を目的としている。
【課題を解決するための手段】
【０００６】
上記課題を解決するために、本発明では以下の構成を提供する。
第１の発明は、使用者が手指で把持するための把持部を有するバスケットであって、底板部の周囲に側壁部が枠状に立設され上部開口部を有する容器状に形成されたバスケット本体を具備し、前記バスケット本体は、前記側壁部の上端部の前記バスケット本体の内側空間を介して対向する２箇所に、前記側壁部の一部が前記内側空間とは反対側へ膨出するように屈曲あるいは湾曲する壁状に形成された拡張部と、前記上端部の周方向において前記側壁部の前記拡張部の内側の空間を介して両側に位置する部位を橋絡する棒状に形成された把持部とを具備し、前記拡張部が、前記把持部を把持した使用者の手指を保護するためのカバー部として機能することを特徴とするバスケットを提供する。
第２の発明は、前記底板部が矩形板状であることを特徴とする第１の発明のバスケットを提供する。
第３の発明は、前記バスケット本体は前記上部開口部から前記底板部側に行くにしたがって先細りのテーパ状に形成されており、前記拡張部に、スタッキング時に下側に位置する前記バスケット本体の前記把持部を収納するためのスリット状の把持部収納溝が形成されていることを特徴とする第１又は第２の発明のバスケットを提供する。
第４の発明は、さらに、前記バスケット本体に回動自在に設けられた取っ手を具備することを特徴とする第１又は第２の発明のバスケットを提供する。
第５の発明は、前記取っ手は、概略コ字状に形成された棒状部材であり、その両端が、前記バスケット本体の側壁部において前記内側空間を介して対向する前記把持部の間隔方向に直交する両側に位置する上端部に設けられた枢着部に枢着され、しかも、バスケット本体の前記側壁部の上端部のうち前記枢着部から一対の前記拡張部の片方の側に位置する部分と一致する形状に形成されていることを特徴とする第４の発明のバスケットを提供する。
【発明の効果】
【０００７】
本発明によれば、地震等の災害発生時に、使用者がバスケット本体の把持部を手指で把持して頭に被ったときに、バスケット本体に形成されている拡張部によって、前記把持部を握った（把持した）手指を落下物の衝突から保護できる。このため、物品の搬送の他、防災用具としても好適に使用することができるといった優れた効果が得られる。
【図面の簡単な説明】
【０００８】
【図１】本発明に係る実施形態のバスケット（買い物かご）を示す全体斜視図である。
【図２】図１のバスケットを示す図であって、（ａ）は平面図、（ｂ）は正面図である。
【図３】図１のバスケットの１使用状態を示す図であって、このバスケットの使用者がバスケット本体を頭に被った状態を説明する斜視図である。
【図４】図３の使用状態におけるバスケット本体の把持部付近を示す断面図である。
【図５】図１のバスケットを複数スタッキングした状態を説明する図であって、バスケット本体の把持部付近を示す断面図である。
【図６】本発明に係る別態様のバスケットを示す平面図である。
【図７】本発明に係るバスケット本体の他の態様を示す図であって、（ａ）は平面図、（ｂ）は正面図、（ｃ）は下面図、（ｄ）は側壁部の上端側から見た斜視図、（ｅ）は底板部側から見た斜視図である。
【図８】本発明に係るバスケット本体の他の態様を示す図であり、図７（ａ）、（ｂ）のバスケット本体の拡張部の形状を変更した構成のバスケット本体を示す図であって、（ａ）は平面図、（ｂ）は正面図、（ｃ）は下面図、（ｄ）は側壁部の上端側から見た斜視図、（ｅ）は底板部側から見た斜視図である。
【図９】従来例のバスケット（買い物かご）を説明する図であって、（ａ）は平面図、（ｂ）は正面図、（ｃ）は側面図である。
【発明を実施するための形態】
【０００９】
以下、本発明を実施したバスケットについて、図面を参照して説明する。
図１、図２（ａ）、（ｂ）は、本発明に係る１実施形態のバスケット１０（買い物かご）の構成を示す図であって、図１は全体斜視図、図２（ａ）は平面図、図２（ｂ）は正面図である。
なお、このバスケット１０の構造について、図１、図２（ｂ）、図５（後述）において上側を上、下側を下として説明する。
【００１０】
図１、図２（ａ）、（ｂ）に示すように、前記バスケット１０は、上部開口部２１を有する容器状に形成されたバスケット本体２０と、このバスケット本体２０の外周壁を構成する側壁部２２の上端部２３（すなわち、側壁部２２において上部開口部２１の周囲に位置する口縁部）に枢着して回動自在に設けられた２つの取っ手３０（図中、区別のため、一方の取っ手３０に符号３１、他方の取っ手３０に符号３２を付す）とを具備して構成されている。
このバスケット１０は、使用者が一対の取っ手３０を片手で一括把持してバスケット本体２０を手から提げた状態で使用できる。
【００１１】
前記バスケット本体２０は、矩形板状の底板部２４と、この底板部２４の周囲に立設された４つの立板部２２１〜２２４によって四角枠状に形成された前記側壁部２２とを具備している。また、底板部２４及び側壁部２２は、多数の穴２５が形成された網構造とされている。但し、前記穴２５は、後述の拡張部２６及び把持部２７には形成されていない。
なお、前記バスケット本体２０は、拡張部２６及び把持部２７を含む全体が、合成樹脂製の一体成形品となっている。但し、バスケット本体としては、例えば底板部及び／又は側壁部を金属線材を用いて構成した網構造としたものも採用可能である。
【００１２】
図１、図２（ａ）に示すように、前記側壁部２２は平面視長方形をなす枠状に形成されている。
側壁部２２の４つの立板部２２１〜２２４について、以下、前記側壁部２２の平面視長方形の一対の長辺に対応する２つの立板部２２１、２２２を主板部、一対の短辺に対応する２つの立板部２２３、２２４を側板部とも言う。
【００１３】
前記バスケット本体２０は、前記側壁部２２の上端部２３の前記バスケット本体２０の内側空間２８を介して対向する２箇所に、前記側壁部２２の一部が前記内側空間２８の中央部とは反対側へ膨出するように湾曲する壁状に形成された拡張部２６と、前記上端部２３の周方向において前記側壁部２２の前記拡張部２６の内側の空間（拡張部内空間２６１）を介して両側に位置する部位を橋絡する棒状に形成された把持部２７とを具備している。
【００１４】
前記拡張部２６及び前記把持部２７は、具体的には、側壁部２２の一対の側板部２２３、２２４に形成されている。
前記拡張部２６は、前記側板部２２３、２２４の上端部の一部を前記内側空間２８の中央部とは反対側へ膨出するように湾曲する壁状に形成したものである。図示例の拡張部２６は具体的には、前記側板部２２３、２２４から外側（内側空間２８の中央部とは反対側）へ膨出する球面状（図示例では球面の約４分の１）の湾曲面を形成する壁部（膨出壁部）とされており、円弧状の上端面を形成している。この拡張部２６は、バスケット本体２０の下側（底板部２４側）から上側に行くにしたがって、前記側板部２２３、２２４の拡張部２６以外の板状部分に対する外側への突出寸法が次第に大きくなるテーパ状になっている。
【００１５】
このバスケット１０のバスケット本体２０において、前記把持部２７は具体的には、前記拡張部２６の基端部、すなわち、拡張部２６において、前記側板部２２３、２２４の前記拡張部内空間２６１を介して前記側壁部２２の周方向両側に位置する板状部分の近傍に位置する部位同士を橋絡する棒状に形成されており、前記側壁部２２の周方向に沿う方向に延在されている。
この把持部２７の前記拡張部２６に固定されている長手方向両端以外の部分は拡張部２６の内面から離隔されており、この把持部２７（詳細には該把持部２７の前記拡張部２６に固定されている箇所を除く部分）と拡張部２６の内面との間には、前記把持部２７を握る（把持する）ために使用者が手指を挿入できる大きさの空間（手指収納空間）が確保されている。前記手指収納空間は、拡張部２６の内側の前記拡張部内空間２６１の全部又は一部（図示例では一部）として機能する。
【００１６】
また、このバスケット１０のバスケット本体２０において、前記把持部２７は、側壁部２２の上端面よりも下方（底板部２４側）にずれた位置に設けられている。
このように、把持部２７は、側壁部２２の上端面よりも下方（底板部２４側）にずれた位置に設けられている構成であれば、図３、図４に示すように、このバスケット１０の使用者が両手で把持部２７を把持してバスケット本体２０を上下反転させた状態で頭に被ったときに、使用者の手指が、底板部２４が上端となるようにスケット本体２０の下端（すなわち、上下反転によってバスケット本体２０の最下部となった側壁部２２の上端部２３）から下側に露出しにくく、前記手指を広範囲にわたって拡張部２６の内側に保護することができ、地震等の災害発生によって生じた落下物が衝突しにくくなるといった利点がある。
本発明に係るバスケットは、把持部が側壁部２２の側板部２２３、２２４の前記拡張部２６以外の板状部分の上端面と連続する上面を形成する位置に設けられた構成も採用可能であるが、上述のように、地震等の災害発生によって生じた落下物の手指への衝突防止の点で、把持部２７が側壁部２２の上端面よりも下方（図１、図２（ｂ）において下側。底板部２４側）にずれた位置に設けられている構成の方が有利である。
【００１７】
次に、取っ手３０について説明する。
図１、図２（ａ）、（ｂ）に示すように、２つの取っ手３１、３２は、概略コ字状に形成された棒状部材であって、その両端を、バスケット本体２０の一対の主板部２２１、２２２の上端部上にそれぞれ突設された枢着部２９に枢着して一対の主板部２２１、２２２の間隔方向（図２（ａ）における上下方向。側壁部２２の平面視短辺方向）に平行な回転軸線を以て回転自在に設けられている。
この取っ手としては、合成樹脂製のもの、金属製のもの、木製のもの等が採用可能であり、充分な耐久性、強度が確保できるものであればその材質に特に限定は無い。
【００１８】
但し、２つの取っ手３１、３２の一方（ここでは符号３１の取っ手）は、バスケット本体２０の主板部２２１、２２２の上端部の延在方向（図２（ａ）における左右方向。側壁部２２の平面視長辺方向）中央から一対の側板部の片方（ここでは符号２２３の側板部）側にずれた位置にて一対の主板部２２１、２２２に設けられた枢着部２９（図中、符号２９１を付記する）に枢着して回転自在に設けられ、他方の取っ手３０（ここでは符号３２の取っ手）は、主板部２２１、２２２の延在方向中央から一対の側板部の残る片方（ここでは符号２２４の側板部）の側にずれた位置にて一対の主板部２２１、２２２に設けられた枢着部２９（図中、符号２９２を付記する）に枢着して回転自在に設けられている。
また、一方の取っ手３１を枢着した枢着部２９１及び他方の取っ手３２を枢着した枢着部２９２の、主板部２２１、２２２の上端部の延在方向中央からの距離、より詳細には各取っ手３１、３２の回転軸線の主板部２２１、２２２の上端部の延在方向中央からの距離（図２（ａ）におけるずれ量ΔＬ）は同じに揃えられている。
【００１９】
各取っ手３１、３２は、それぞれ、バスケット本体２０の前記側壁部２２の上端部２３における、一対の拡張部２６のうちの当該取っ手が枢着されている枢着部２９１、２９２からの距離が近い方の拡張部２６の側に位置する部分と一致する形状に形成されており、図１、図２（ｂ）に示すように、前記側壁部２２の上端部２３の対応する部分にそれぞれ重ね合わせることができる。
【００２０】
前記バスケット本体２０は、該バスケット本体２０の内側空間２８を介して対向する一対の側板部２２３、２２４の間隔方向における中央を通り前記底板部２４に垂直な仮想面２０Ｓを介して両側が対称に形成されており、また、一対の取っ手３１、３２は互いに同じ形状に形成されている。
符号３１の取っ手３０は、符号２２３の側板部の上端部（拡張部２６を含む上端部）に対応する形状に形成された棒状握り部３０ａの両端に、主板部２２１、２２２の上端部の符号２９１の枢着部２９から側板部２２３側の部分に対応する直棒部３０ｂ、３０ｃが前記棒状握り部３０ａに対して垂直に延在するように設けられた構成になっている。
一方、符号３２の取っ手３０は、符号２２４の側板部の上端部（拡張部２６を含む上端部）に対応する形状に形成された棒状握り部３０ａの両側に、主板部２２１、２２２の上端部の符号２９２の枢着部２９から側板部２２４側の部分に対応して真っ直ぐに延在する棒状に形成された直棒部３０ｂ、３０ｃが前記棒状握り部３０ａに対して垂直に延在するように設けられた構成になっている。
【００２１】
また、前記取っ手３０の棒状握り部３０ａは、拡張部２６の上端部に対応する形状に湾曲された湾曲部３０ａ１の両端に、側板部２２３、２２４の前記拡張部２６を介して両側に位置する板状部分の上端部に対応して真っ直ぐに延在する棒状に形成された握り直棒部３０ａ２、３０ａ３とを具備する構成となっている。
符号３１の取っ手３０は、回転させることにより、符号２２３の側板部に形成されている拡張部２６の上端部に湾曲部３０ａ１を重ね合わせることができ、符号３２の取っ手３０は、回転させることにより、符号２２４の側板部に形成されている拡張部２６の上端部に湾曲部３０ａ１を重ね合わせることができる。
【００２２】
上述のように、取っ手３０が、拡張部２６に重ね合わせることができる形状の湾曲部３０ａ１を有する構成であれば、取っ手３０をバスケット本体２０の上端部２３に重ね合わせた状態においては、バスケット１０の使用者が、把持部２７を手指で握る際に取っ手３０が邪魔にならない。
【００２３】
このバスケット１０の使用者が、取っ手３０がバスケット本体２０の側壁部２２の上端部２３に重なった状態のバスケット１０の前記バスケット本体２０の一対の前記把持部２７を両手で握って、図３、図４に示すようにバスケット本体２０を頭部防護のために頭に被った際には、前記側壁部２２の上端部２３に重なった位置から下方に回転した取っ手３０は、湾曲部３０ａ１が使用者の腕に当接するところまで回転することとなる。
【００２４】
仮に、前記バスケット１０の、前記湾曲部３０ａ１を有する取っ手３０を、図３中仮想線にて示すように、前記湾曲部３０ａ１を有しておらず棒状握り部が単純な直棒状になっている取っ手３０Ａ（以下、単純形取っ手とも言う）に変更した構成のバスケット（以下、取っ手単純形バスケットとも言う）を例に同様の使用方法（取っ手がバスケット本体２０の側壁部２２の上端部２３に重なった状態で前記バスケット本体２０の一対の前記把持部２７を両手で握って頭に被る）をとった場合について検討する。なお、単純形取っ手３０Ａの棒状握り部３０ｄのバスケット本体に対する回転半径及びバスケット本体２０に対する枢着位置は、既述のバスケット１０の取っ手３０の前記湾曲部３０ａ１の取っ手３０の回転軸線からの距離が最大の箇所の回転半径と同じであるものとする。また、本発明は、取っ手単純形バスケットも含む。
この取っ手単純形バスケットの場合も、上述の使用方法によって使用者がバスケット本体２０を頭に被ったとき、バスケット本体２０から下方に回転した取っ手は直棒状の棒状握り部が使用者の腕に当たるところまで回転することになる。
【００２５】
図１、図２（ａ）、（ｂ）を参照して説明したバスケット１０（以下、取っ手湾曲形バスケットとも言う）の取っ手３０は、湾曲部３０ａ１を有するため、棒状握り部３０ａの握り直棒部３０ａ２、３０ａ３のバスケット本体２０に対する回転半径が湾曲部３０ａ１の回転半径に比べて小さい。取っ手湾曲形バスケット１０を使用する場合、上述の使用方法によって使用者が頭に被ったバスケット本体２０から下方に回転した取っ手３０が使用者の腕に当接してバスケット本体２０の枢着部２９から斜め下方に延出する向きとなったとき（図３仮想線の符号３０を参照）には、湾曲部３０ａ１に比べて握り直棒部３０ａ２、３０ａ３の方が使用者の身体（胴体）側に位置することになる。これに対して、既述の取っ手単純形バスケットの場合は、取っ手３０Ａの棒状握り部３０ｄが単純な直棒状になっている構造であるため、前記使用方法により使用者が頭に被ったバスケット本体２０から下方に回転した取っ手３０Ａ（詳細には棒状握り部３０ｄ）が使用者の腕に当接してバスケット本体２０の枢着部２９から斜め下方に延出する向きとなったとき、取っ手３０Ａの棒状握り部３０ｄはその全長にわたってバスケット本体２０の主板部２２１、２２２の上端部に沿う方向（図４左右方向。以下、左右方向とも言う）における位置が該棒状握り部の使用者の腕に対する当接位置と同じになる。
【００２６】
既述の取っ手湾曲形バスケット１０は、棒状握り部３０ａの握り直棒部３０ａ２、３０ａ３のバスケット本体２０に対する回転半径が取っ手単純形バスケットの取っ手３０Ａの棒状握り部３０ｄのバスケット本体２０に対する回転半径に比べて小さい分、前記使用方法により使用者が頭に被ったバスケット本体２０の枢着部２９から斜め下方に延出する向きとなったときの前記取っ手３０の左右方向における握り直棒部３０ａ２、３０ａ３の位置を、取っ手単純形バスケットを同様に使用しバスケット本体２０の枢着部２９から斜め下方に延出する向きとなった取っ手３０Ａの棒状握り部３０ｄに比べて使用者の身体（胴体）寄りとすることができる。このため、取っ手湾曲形バスケット１０を頭部の防護に使用した場合は、例えば、バスケット本体２０を頭に被った使用者が身体の向きを変えるときや避難のための移動時などにおける、使用者の周囲に存在する障害物に対する取っ手の接触回避が容易となるといった利点もある。
【００２７】
なお、本発明に係るバスケット１０の使用方法としては、上述のように、取っ手がバスケット本体２０の側壁部２２の上端部２３に重なった状態で前記バスケット本体２０の一対の前記把持部２７を両手で握って頭に被る使用方法に限定されず、例えば、一対の取っ手の一方又は両方が両腕の間に位置する状態で、前記バスケット本体２０の一対の前記把持部２７を両手で握って頭に被ることも可能であることは言うまでも無い。
このことは、前記取っ手湾曲形バスケット１０に限定されず、取っ手単純形バスケットについても同様である。
【００２８】
本発明に係るバスケット１０によれば、使用者がバスケット本体２０の一対の前記把持部２７を両手で握って、図３、図４に示すようにバスケット本体２０を頭に被った際に、前記把持部２７を握った手指がバスケット本体２０の拡張部２０の内側に収容された状態となるため、地震等の災害発生によって生じた落下物が前記把持部２７を握った手指に衝突することを拡張部２０によって防ぐことができる。つまり、前記拡張部２０が、把持部２７を握った手指に衝突することを防いで手指を保護するカバー部として機能する。
また、バスケット本体２０を頭に被った使用者が身体の向きを変えたり、避難のために移動する際に、前記把持部２７を握った手指を例えば店内の棚や建物の柱や壁等の障害物に衝突することも防止できる。
【００２９】
また、図１、図２（ｂ）に示すように、前記バスケット１０のバスケット本体２０は、前記上部開口部２１から前記底板部２４側に行くにしたがって先細り（上部開口部２１から底板部２４側に行くにしたがって平面視形状が小さくなる）のテーパ状に形成されており、拡張部２６もバスケット本体２０の下側（底板部２４側）から上側に行くにしたがって、前記側板部２２３、２２４の拡張部２６以外の板状部分に対する外側への突出寸法が次第に大きくなるテーパ状になっている。このため、このバスケット１０は、図５に示すように、バスケット本体２０同士を多段に積層するようにしてスタッキングすることが可能である。バスケット１０は、取っ手３０をバスケット本体２０の上端部２３に重ね合わせた状態にしてスタッキングされる。また、スタッキングの際に、バスケット１０のバスケット本体２０の拡張部２６の内側に、下側のバスケット１０のバスケット本体２０の拡張部２６を収納でき、これにより上下のバスケット１０のバスケット本体２０の拡張部２６同士が重なり合った状態とすることができる。
【００３０】
バスケット本体２０の前記拡張部２６には、スタッキング時に下側に位置するバスケット１０のバスケット本体２０の前記把持部２７を収納するためのスリット状の把持部収納溝２６２が形成されている。図２（ｂ）に示すように、前記把持部収納溝２６２は、前記拡張部２６に、バスケット本体２０の底板部２４側から該拡張部２６の上端部側に向かって窪む溝として形成されている。図５に示すように、バスケット１０のスタッキング時には、下側に位置するバスケット１０のバスケット本体２０の前記把持部２７を前記把持部収納溝２６２に取り出し可能に収納する。また、把持部収納溝２６２は、前記把持部２７を、殆どあるいは全くがたつかないようにして収納できるサイズに形成される。
このバスケット１０は、スタッキング時に下側に位置するバスケット１０のバスケット本体２０の前記把持部２７を収納できる前記把持部収納溝２６２を有しているため、拡張部２６及び把持部２７を具備している構成であるにもかかわらず、既存の買い物かご等と同様のスタッキングが可能になっている。
【００３１】
このように、スタッキング時に下側に位置するバスケット１０のバスケット本体２０の前記把持部２７を前記把持部収納溝２６２に収納する構成であれば、下側に位置するバスケット１０の把持部２７とこの把持部２７を把持部収納溝２６２に収納した拡張部２６との嵌合によって、スタッキング状態の安定化を図ることができる。
また、図示例のバスケット１０の取っ手３０はバスケット本体２０の上端部に重ねた状態としたときに、拡張部２６の上端部に対してその外周から外側に張り出す部分を有しており、このバスケット１０は、図５に示すように、スタッキング時には、上下のバスケット１０の取っ手３０同士（拡張部２６から外側に張り出した部分同士）も重なり合うようになる。このことも、スタッキング状態の安定化に有利である。
【００３２】
なお、本発明は、上述の実施形態に限定されず、その主旨を逸脱しない範囲で適宜設計変更が可能である。
例えば、図６に示すように、バスケット本体として、既述のバスケット１０について把持部２７の位置を側壁部２２の側板部２２３、２２４の前記拡張部２６以外の板状部分の上端面と連続する上面を形成する位置に変更した構成のもの（バスケット本体２０Ａ。図６中、把持部に符号２７１を付す）を採用し、さらに、取っ手として、前記湾曲部３０ａ１を有しておらず単純な直棒状の棒状握り部３３ａを有し、前記棒状握り部３３ａを把持部２７１に重ね合わせることができるように形成されたもの（図６中、符号３３の取っ手）を採用し、使用者が手指でバスケット本体２０Ａの把持部２７１と取っ手３３の棒状握り部３３ａとを一括して把持できるようにした構成のもの（バスケット１０Ａ）も採り得る。
この構成の場合、取っ手３３のバスケット本体２０に対する回転半径を小さくすることができるといった利点がある。また、拡張部２６への把持部収納溝２６２の形成を省略することが可能となる。
但し、既述のように、地震等の災害発生によって生じた落下物の手指への衝突防止の点では、把持部２７が側壁部２２の上端面よりも下方（底板部２４側）にずれた位置に設けられている構成の方が有利である。
【００３３】
また、本発明に係るバスケットは、前記把持部２７が、側壁部２２の側板部２２３、２２４の前記拡張部２６以外の板状部分の上端面からやや下側（底板部２４側）にずれた位置に設けられた構成の既述のバスケット本体２０に、図６に例示した取っ手３３を枢着した構成とすることも可能である。このバスケットの場合、取っ手３３を側壁部２２の上端部２３に重ね合わせるように倒したときに、取っ手３３の棒状握り部３３ａと把持部２７との間にクリアランスが確保される構成であっても良いが、使用者が手指でバスケット本体２０の把持部２７と取っ手３３の棒状握り部３３ａとを容易に一括把持できるようにするために、棒状握り部３３ａと把持部２７との間のクリアランスは出来るだけ小さいことが好ましい。
【００３４】
但し、使用者が、地震等の災害発生時の咄嗟の動作で、把持部を簡単かつ確実に把持できるようにする点では、バスケット本体の把持部と取っ手の棒状握り部とを一括把持できるようにした構成よりも、図１等を参照して説明したバスケット１０のように、取っ手を側壁部２２の上端部２３に重ね合わせるように倒したときに取っ手の棒状握り部が把持部２７上に位置せず、図１のように底板部２４がバスケット本体２０の下端側となる向きにおいて把持部２７の位置を明瞭に目視確認できる構成である方が有利である。
【００３５】
前記拡張部２６は、把持部２７を把持してバスケット本体を頭に被った使用者の手指を保護できる構成のものであれば良く、上述の実施形態にて説明した、前記側板部２２３、２２４から外側（前記内側空間２８の中央部とは反対側）へ膨出する球面（詳細には球面の４分の１）状の湾曲面を形成する壁部とされた構成に限定されない。例えば、側板部２２３、２２４から外側（前記内側空間２８の中央部とは反対側）へ膨出するように平面視コ字形に屈曲された壁部をなす構成なども採用可能である。
但し、拡張部としては、落下物が拡張部に衝突した際の衝撃力の緩和に鑑みて、バスケット本体の底板部側の端部から側壁部の上端部側に行くに従って、側板部からの突出寸法が次第に増大するテーパ状の外観形状をなすように形成された構成であることが好ましい。
【００３６】
また、本発明に係るバスケットとしては、取っ手を具備して手提げかご（例えば買い物かご）として用いることができるバスケットの他、取っ手を具備していない構成のものも含む。
【００３７】
バスケット本体としては、図示例のように矩形板状の底板部を有し側壁部の上端部が平面視矩形になっている構成のものに限定されず、その形状は適宜設計変更可能である。
本発明は、例えば、図７（ａ）〜（ｅ）に示すバスケット本体２０Ｂのように、平面視略楕円形の板状に形成された底板部２４Ｂと、この底板部２４Ｂの外周に立設された側壁部２２Ｂとを有し、前記側壁部２２Ｂの上端部（図７（ｂ）において上側の端部）の該バスケット本体２０Ｂの内側空間を介して対向する２箇所に、前記側壁部２２Ｂの一部が前記内側空間とは反対側へ膨出するように湾曲する壁状に形成された拡張部２６Ｂと、前記上端部の周方向において前記側壁部２２Ｂの前記拡張部２６Ｂの内側の空間を介して両側に位置する部位を橋絡する棒状の把持部２７Ｂとを有する構成としたものも含む。
【００３８】
図７（ａ）〜（ｅ）に例示したバスケット本体２０Ｂの側壁部２２Ｂは、その上端部が、平面視において前記拡張部２６Ｂ以外の部分が拡張部２６Ｂに比べて緩やかに湾曲する上端面を形成する構成とされているが、本発明に係るバスケットとしては、図８（ａ）〜（ｅ）に示すように、図７（ａ）〜（ｅ）のバスケット本体２０Ｂの拡張部の形状を変更した構成のものも採用可能である。図８（ａ）〜（ｅ）に例示したバスケット本体２０Ｃは、拡張部２６Ｃが平面視において側壁部２２Ｃの拡張部２６Ｃ以外の部分の上端面と連続して湾曲する上端面を形成し、側壁部２２Ｃの上端部の上端面が平面視楕円状をなすようにしたものである。
【００３９】
図７（ａ）〜（ｅ）、図８（ａ）〜（ｅ）に例示したバスケット本体２０Ｂ、２０Ｃは、拡張部に、スタッキング時に下側に位置するバスケット本体の把持部を収納するためのスリット状の把持部収納溝（図７（ａ）〜（ｅ）に例示したバスケット本体２０Ｂの把持部収納溝に符号２６２Ｂ、図８（ａ）〜（ｅ）に例示したバスケット本体２０Ｃの把持部収納溝に符号２６２Ｃを付した）を形成した構成、把持部収納溝を形成していない構成のいずれも採用可能である。
また、図７（ａ）〜（ｅ）、図８（ａ）〜（ｅ）は、取っ手を具備していないバスケットを例示しているが、使用者がバスケット本体を手で提げるための取っ手を側壁部の上端部に設けられた枢着部に枢着した構成とすることも可能であることは言うまでも無い。
取っ手を設ける場合、取っ手としては、例えば、バスケット本体の前記側壁部の上端部のうち該取っ手を枢着した側壁部の上端部の枢着部から一対の前記拡張部の片方の側に位置する部分と一致する形状に形成したものを採用できる。
また、図７（ａ）〜（ｅ）、図８（ａ）〜（ｅ）に例示したバスケット本体２０Ｂ、２０Ｃの側壁部２２Ｂ、２２Ｃ、底板部２４Ｂ、２４Ｃは、多数の穴を形成した網構造とすることが可能であることは言うまでも無い。また、底板部及び／又は側壁部は金属線材を用いて構成した網構造としたものも採用可能であることは言うまでも無い。
【符号の説明】
【００４０】
１０、１０Ａ…バスケット、２０、２０Ａ、２０Ｂ、２０Ｃ…バスケット本体、２１…上部開口部、２２、２２Ｂ、２２Ｃ…側壁部、２２１、２２２…立板部（主板部）、２２３、２２４…立板部（側板部）、２３…上端部、２４、２４Ｂ…底板部、２５…穴、２６、２６Ｂ、２６Ｃ…拡張部、２６１…拡張部内空間、２６２、２６２Ｂ、２６２Ｃ…把持部収納溝、２７、２７１、２７Ｂ…把持部、２８…内側空間、２９、２９１、２９２…枢着部、３０、３０Ａ、３１、３２、３３…取っ手、３０ａ…棒状握り部、３０ａ１…湾曲部、３０ａ２、３０ａ３…握り直棒部、３３ａ…棒状握り部。
【図１】
2010179937.tif 000003
【図２】
2010179937.tif 000004
【図３】
2010179937.tif 000005
【図４】
2010179937.tif 000006
【図５】
2010179937.tif 000007
【図６】
2010179937.tif 000008
【図７】
2010179937.tif 000009
【図８】
2010179937.tif 000010
【図９】
2010179937.tif 000011